【手続補正書】
【提出日】平成17年3月15日(2005.3.15)
【手続補正１】
【補正対象書類名】特許請求の範囲
【補正対象項目名】全文
【補正方法】変更
【補正の内容】
【特許請求の範囲】
【請求項１】
入力された画像信号を処理して出力する画像信号処理装置であって、
画像のぼけの度合いを表すパラメータを指定する指定手段と、
画像の特徴を検出し、検出された特徴を表す特徴コードを出力する検出手段と、
前記指定手段により指定されたパラメータと、前記検出手段により出力された特徴コードに対応する係数を記憶する記憶手段と、
前記記憶手段から、前記指定手段により指定された前記パラメータと前記検出手段により出力された前記特徴コードに対応する係数を読み出す読み出し手段と、
前記読み出し手段により読み出された係数と、入力画像の画素の値とに基づいて演算を行う演算手段と、
前記演算手段による演算結果を出力する出力手段と
を備えることを特徴とする画像信号処理装置。
【請求項２】
前記特徴検出手段は、
入力画像の中から、演算を行う画素の周囲の、あらかじめ設定された第１の領域に含まれる複数の画素を抽出する第１の抽出手段と、
前記第１の領域と、垂直または水平の複数の方向に連続した、複数の第２の領域に含まれる複数の画素を抽出する第２の抽出手段と、
前記第１の抽出手段により抽出された画素と、前記第２の抽出手段により抽出された画素において、対応する画素の値の差分の絶対値の総和を求めて、複数のブロック差分を演算するブロック差分演算手段と、
前記ブロック差分が、予め設定された閾値より大きいか否かを判定する差分判定手段と
を備えることを特徴とする請求項１に記載の画像信号処理装置。
【請求項３】
前記パラメータは、ぼけた画像の画素とぼけていない画像の画素の関係を表すモデル式におけるガウス関数のパラメータである
ことを特徴とする請求項１に記載の画像信号処理装置。
【請求項４】
前記記憶手段により記憶される係数は、前記モデル式の逆行列を演算することにより求められた係数である
ことを特徴とする請求項３に記載の画像信号処理装置。
【請求項５】
前記演算手段は、
前記読み出し手段により読み出された係数に基づいて、前記入力画像の画素の値に対して積和演算を行う
ことを特徴とする請求項１に記載の画像信号処理装置。
【請求項６】
前記出力手段は、
前記演算手段による演算結果と前記入力画像の画素の値を選択して出力する
ことを特徴とする請求項１に記載の画像信号処理装置。
【請求項７】
前記出力手段は、
前記演算手段により演算が行われた複数の画素を抽出する第１の抽出手段と、
前記第１の抽出手段により抽出された複数の画素の分散の度合いを表す分散度を演算する分散演算手段と、
前記分散演算手段により演算された分散度が予め設定された閾値より大きいか否かを判定する分散判定手段と
を備えることを特徴とする請求項６に記載の画像信号処理装置。
【請求項８】
前記出力手段は、前記分散判定手段の判定結果に基づいて、出力する画素の値を、前記演算手段による演算結果、または前記入力画像の画素の値のいずれかから選択する
ことを特徴とする請求項７に記載の画像信号処理装置。
【請求項９】
前記指定手段は、出力される画像の表示方法を表す出力モードの指定を受け付け、
前記出力手段は、前記出力モードに基づいて、出力される画像の表示方法を切り替える切り替え手段をさらに備える
ことを特徴とする請求項８に記載の画像信号処理装置。
【請求項１０】
入力された画像信号を処理して出力する画像信号処理装置の画像信号処理方法であって、
画像のぼけの度合いを表すパラメータを指定する指定ステップと、
画像の特徴を検出し、検出された特徴を表す特徴コードを出力する検出ステップと、
記憶されている係数の中から前記指定ステップの処理により指定されたパラメータと、前記検出ステップの処理により出力された特徴コードに対応する係数を読み出す読み出しステップと、
前記読み出しステップの処理により読み出された係数と、入力画像の画素の値とに基づいて演算を行う演算ステップと、
前記演算ステップの処理による演算結果を出力する出力ステップと
を含むことを特徴とする画像信号処理方法。
【請求項１１】
入力された画像信号を処理して出力する画像信号処理装置のプログラムであって、
画像のぼけの度合いを表すパラメータの指定を制御する指定制御ステップと、
画像の特徴を検出し、検出された特徴を表す特徴コードを出力するように制御する検出制御ステップと、
記憶されている係数の中から前記指定制御ステップの処理により指定されたパラメータと、前記検出制御ステップの処理により出力された特徴コードに対応する係数の読み出しを制御する読み出し制御ステップと、
前記読み出し制御ステップの処理により読み出された係数と、入力画像の画素の値とに基づいて演算を行うように制御する演算制御ステップと、
前記演算制御ステップの処理による演算結果を出力するように制御する出力制御ステップと
をコンピュータに実行させることを特徴とするプログラム。
【請求項１２】
入力された画像信号を処理して出力する画像信号処理装置のプログラムが記録される記録媒体であって、
画像のぼけの度合いを表すパラメータの指定を制御する指定制御ステップと、
画像の特徴を検出し、検出された特徴を表す特徴コードを出力するように制御する検出制御ステップと、
記憶されている係数の中から前記指定制御ステップの処理により指定されたパラメータと、前記検出制御ステップの処理により出力された特徴コードに対応する係数の読み出しを制御する読み出し制御ステップと、
前記読み出し制御ステップの処理により読み出された係数と、入力画像の画素の値とに基づいて演算を行うように制御する演算制御ステップと、
前記演算制御ステップの処理による演算結果を出力するように制御する出力制御ステップと
をコンピュータに実行させるプログラムが記録されることを特徴とする記録媒体。
【手続補正２】
【補正対象書類名】明細書
【補正対象項目名】０００７
【補正方法】変更
【補正の内容】
【０００７】
本発明の画像信号処理装置は、入力された画像信号を処理して出力する画像信号処理装置であって、画像のぼけの度合いを表すパラメータを指定する指定手段と、画像の特徴を検出し、検出された特徴を表す特徴コードを出力する検出手段と、指定手段により指定されたパラメータと、検出手段により出力された特徴コードに対応する係数を記憶する記憶手段と、記憶手段から、指定手段により指定されたパラメータと検出手段により出力された特徴コードに対応する係数を読み出す読み出し手段と、読み出し手段により読み出された係数と、入力画像の画素の値とに基づいて演算を行う演算手段と、演算手段による演算結果を出力する出力手段とを備えることを特徴とする。
【手続補正３】
【補正対象書類名】明細書
【補正対象項目名】０００８
【補正方法】変更
【補正の内容】
【０００８】
前記特徴検出手段は、入力画像の中から、演算を行う画素の周囲の、あらかじめ設定された第１の領域に含まれる複数の画素を抽出する第１の抽出手段と、第１の領域と、垂直または水平の複数の方向に連続した、複数の第２の領域に含まれる複数の画素を抽出する第２の抽出手段と、第１の抽出手段により抽出された画素と、第２の抽出手段により抽出された画素において、対応する画素の値の差分の絶対値の総和を求めて、複数のブロック差分を演算するブロック差分演算手段と、ブロック差分が、予め設定された閾値より大きいか否かを判定する差分判定手段とを備えるようにすることができる。
【手続補正４】
【補正対象書類名】明細書
【補正対象項目名】００１０
【補正方法】変更
【補正の内容】
【００１０】
前記記憶手段により記憶される係数は、モデル式の逆行列を演算することにより求められた係数であるようにすることができる。
前記演算手段は、読み出し手段により読み出された係数に基づいて、入力画像の画素の値に対して積和演算を行うようにすることができる。
前記出力手段は、演算手段による演算結果と入力画像の画素の値を選択して出力するようにすることができる。
【手続補正５】
【補正対象書類名】明細書
【補正対象項目名】００１１
【補正方法】変更
【補正の内容】
【００１１】
前記出力手段は、演算手段により演算が行われた複数の画素を抽出する第１の抽出手段と、第１の抽出手段により抽出された複数の画素の分散の度合いを表す分散度を演算する分散演算手段と、分散演算手段により演算された分散度が予め設定された閾値より大きいか否かを判定する分散判定手段とを備えるようにすることができる。
【手続補正６】
【補正対象書類名】明細書
【補正対象項目名】００１２
【補正方法】変更
【補正の内容】
【００１２】
前記出力手段は、分散判定手段の判定結果に基づいて、出力する画素の値を、演算手段による演算結果、または入力画像の画素の値のいずれかから選択するようにすることができる。
【手続補正７】
【補正対象書類名】明細書
【補正対象項目名】００１３
【補正方法】変更
【補正の内容】
【００１３】
前記指定手段は、出力される画像の表示方法を表す出力モードの指定を受け付け、
出力手段は、出力モードに基づいて、出力される画像の表示方法を切り替える切り替え手段をさらに備えるようにすることができる。
【手続補正８】
【補正対象書類名】明細書
【補正対象項目名】００１４
【補正方法】変更
【補正の内容】
【００１４】
本発明の画像信号処理方法は、入力された画像信号を処理して出力する画像信号処理装置の画像信号処理方法であって、画像のぼけの度合いを表すパラメータを指定する指定ステップと、画像の特徴を検出し、検出された特徴を表す特徴コードを出力する検出ステップと、記憶されている係数の中から指定ステップの処理により指定されたパラメータと、検出ステップの処理により出力された特徴コードに対応する係数を読み出す読み出しステップと、読み出しステップの処理により読み出された係数と、入力画像の画素の値とに基づいて演算を行う演算ステップと、演算ステップの処理による演算結果を出力する出力ステップとを含むことを特徴とする。
【手続補正９】
【補正対象書類名】明細書
【補正対象項目名】００１５
【補正方法】変更
【補正の内容】
【００１５】
本発明のプログラムは、入力された画像信号を処理して出力する画像信号処理装置のプログラムであって、画像のぼけの度合いを表すパラメータの指定を制御する指定制御ステップと、画像の特徴を検出し、検出された特徴を表す特徴コードを出力するように制御する検出制御ステップと、記憶されている係数の中から指定制御ステップの処理により指定されたパラメータと、検出制御ステップの処理により出力された特徴コードに対応する係数の読み出しを制御する読み出し制御ステップと、読み出し制御ステップの処理により読み出された係数と、入力画像の画素の値とに基づいて演算を行うように制御する演算制御ステップと、演算制御ステップの処理による演算結果を出力するように制御する出力制御ステップとをコンピュータに実行させることを特徴とする。
【手続補正１０】
【補正対象書類名】明細書
【補正対象項目名】００１６
【補正方法】変更
【補正の内容】
【００１６】
本発明の記録媒体は、入力された画像信号を処理して出力する画像信号処理装置のプログラムが記録される記録媒体であって、画像のぼけの度合いを表すパラメータの指定を制御する指定制御ステップと、画像の特徴を検出し、検出された特徴を表す特徴コードを出力するように制御する検出制御ステップと、記憶されている係数の中から指定制御ステップの処理により指定されたパラメータと、検出制御ステップの処理により出力された特徴コードに対応する係数の読み出しを制御する読み出し制御ステップと、読み出し制御ステップの処理により読み出された係数と、入力画像の画素の値とに基づいて演算を行うように制御する演算制御ステップと、演算制御ステップの処理による演算結果を出力するように制御する出力制御ステップとをコンピュータに実行させるプログラムが記録されることを特徴とする。
【手続補正１１】
【補正対象書類名】明細書
【補正対象項目名】００１７
【補正方法】変更
【補正の内容】
【００１７】
本発明の画像信号処理装置および方法、並びにプログラムにおいては、画像のぼけの度合いを表すパラメータが指定され、画像の特徴が検出され、検出された特徴を表す特徴コードが出力され、指定されたパラメータと、出力された特徴コードに対応する係数が記憶され、パラメータと特徴コードに対応する係数が読み出され、読み出された係数と、入力画像の画素の値とに基づいて演算が行われ、演算結果が出力される。
【手続補正１２】
【補正対象書類名】明細書
【補正対象項目名】００２１
【補正方法】変更
【補正の内容】
【００２１】
本発明の画像信号処理装置は、入力された画像信号を処理して出力する画像信号処理装置であって、画像のぼけの度合いを表すパラメータを指定する指定手段（例えば、図２のユーザI/F２１）と、画像の特徴を検出し、検出された特徴を表す特徴コードを出力する検出手段（例えば、図２の画像特徴検出部４２）と、前記指定手段により指定されたパラメータと、前記検出手段により出力された特徴コードに対応する係数を記憶する記憶手段（例えば、図２の係数ＲＯＭ４４）と、前記記憶手段から、前記指定手段により指定された前記パラメータと前記検出手段により出力された前記特徴コードに対応する係数を読み出す読み出し手段（例えば、図２のアドレス演算部４３）と、前記読み出し手段により読み出された係数と、入力画像の画素の値とに基づいて演算を行う演算手段（例えば、図２の積和演算部４６）と、前記演算手段による演算結果を出力する出力手段（例えば、図２の後処理部４７）とを備える。
【手続補正１３】
【補正対象書類名】明細書
【補正対象項目名】００２２
【補正方法】変更
【補正の内容】
【００２２】
この画像信号処理装置は、前記特徴検出手段が、入力画像の中から、演算を行う画素の周囲の、あらかじめ設定された第１の領域に含まれる複数の画素を抽出する第１の抽出手段（例えば、図２１のブロック切り出し部１４１−５）と、前記第１の領域と、垂直または水平の複数の方向に連続した、複数の第２の領域に含まれる複数の画素を抽出する第２の抽出手段（例えば、図２１のブロック切り出し部１４１−１乃至１４１−４）と、前記第１の抽出手段により抽出された画素と、前記第２の抽出手段により抽出された画素において、対応する画素の値の差分の絶対値の総和を求めて、複数のブロック差分を演算するブロック差分演算手段（例えば、図２１のブロック差分演算部１４２−１乃至１４２−４）と、前記ブロック差分が、予め設定された閾値より大きいか否かを判定する差分判定手段（例えば、図２１の閾値判定部１４３−１乃至１４３−２）とを備える。
【手続補正１４】
【補正対象書類名】明細書
【補正対象項目名】００２４
【補正方法】変更
【補正の内容】
【００２４】
この画像信号処理装置は、前記出力手段が、前記演算手段により演算が行われた複数の画素を抽出する第１の抽出手段（例えば、図２４のブロック切り出し部２０１）と、前記第１の抽出手段により抽出された複数の画素の分散の度合いを表す分散度を演算する分散演算手段（例えば、図２４の分散演算部２０２）と、前記分散演算手段により演算された分散度が予め設定された閾値より大きいか否かを判定する分散判定手段（例えば、図２４の閾値判定部２０３）とを備える。
【手続補正１５】
【補正対象書類名】明細書
【補正対象項目名】００２５
【補正方法】変更
【補正の内容】
【００２５】
この画像信号処理装置は、前記出力手段が、前記分散判定手段の判定結果に基づいて、出力する画素の値を、前記演算手段による演算結果、または前記入力画像の画素の値のいずれかから選択する。
【手続補正１６】
【補正対象書類名】明細書
【補正対象項目名】００２６
【補正方法】変更
【補正の内容】
【００２６】
この画像信号処理装置は、前記指定手段が、出力される画像の表示方法を表す出力モードの指定を受け付け、前記出力手段が、前記出力モードに基づいて、出力される画像の表示方法を切り替える切り替え手段（例えば、図２４の出力モード切り替え部２０５）をさらに備える。
【手続補正１７】
【補正対象書類名】明細書
【補正対象項目名】００２７
【補正方法】変更
【補正の内容】
【００２７】
本発明の情報処理方法は、画像のぼけの度合いを表すパラメータを指定する指定ステップ（例えば、図１６のステップＳ２）と、画像の特徴を検出し、検出された特徴を表す特徴コードを出力する検出ステップ（例えば、図１８のステップＳ２１）と、記憶されている係数の中から前記指定ステップの処理により指定されたパラメータと、前記検出ステップの処理により出力された特徴コードに対応する係数を読み出す読み出しステップ（例えば、図１８のステップＳ２３）と、前記読み出しステップの処理により読み出された係数と、入力画像の画素の値とに基づいて演算を行う演算ステップ（例えば、図１８のステップＳ２４）と、前記演算ステップの処理による演算結果を出力する出力ステップ（例えば、図１８のステップＳ２５）とを含む。
【手続補正１８】
【補正対象書類名】明細書
【補正対象項目名】００２８
【補正方法】変更
【補正の内容】
【００２８】
本発明のプログラムは、入力された画像信号を処理して出力する画像信号処理装置のプログラムであって、画像のぼけの度合いを表すパラメータの指定を制御する指定制御ステップ（例えば、図１６のステップＳ２）と、画像の特徴を検出し、検出された特徴を表す特徴コードを出力するように制御する検出制御ステップ（例えば、図１８のステップＳ２１）と、記憶されている係数の中から前記指定制御ステップの処理により指定されたパラメータと、前記検出制御ステップの処理により出力された特徴コードに対応する係数の読み出しを制御する読み出し制御ステップ（例えば、図１８のステップＳ２３）と、前記読み出し制御ステップの処理により読み出された係数と、入力画像の画素の値とに基づいて演算を行うように制御する演算制御ステップ（例えば、図１８のステップＳ２４）と、前記演算制御ステップの処理による演算結果を出力するように制御する出力制御ステップ（例えば、図１８のステップＳ２５）とをコンピュータに実行させる。
【手続補正１９】
【補正対象書類名】明細書
【補正対象項目名】００２９
【補正方法】変更
【補正の内容】
【００２９】
本発明の記録媒体は、入力された画像信号を処理して出力する画像信号処理装置のプログラムが記録される記録媒体であって、画像のぼけの度合いを表すパラメータの指定を制御する指定制御ステップ（例えば、図１６のステップＳ２）と、画像の特徴を検出し、検出された特徴を表す特徴コードを出力するように制御する検出制御ステップ（例えば、図１８のステップＳ２１）と、記憶されている係数の中から前記指定制御ステップの処理により指定されたパラメータと、前記検出制御ステップの処理により出力された特徴コードに対応する係数の読み出しを制御する読み出し制御ステップ（例えば、図１８のステップＳ２３）と、前記読み出し制御ステップの処理により読み出された係数と、入力画像の画素の値とに基づいて演算を行うように制御する演算制御ステップ（例えば、図１８のステップＳ２４）と、前記演算制御ステップの処理による演算結果を出力するように制御する出力制御ステップ（例えば、図１８のステップＳ２５）とをコンピュータに実行させる。
【手続補正２０】
【補正対象書類名】図面
【補正対象項目名】図５
【補正方法】変更
【補正の内容】
【図５】
2005063097.tif 000001